(57)【特許請求の範囲】
【請求項１】
生分解可能な非木材繊維で形成された所定の高さを有する円筒状の外層(1)と、保水性と吸水性を備えた円筒状の中間層(2)と、肥料を混ぜた土壌からなる内層(3)とによって苗木ポットが構成され、前記中間層(2)が、外層(1)の内部で複数段に分割されたユニットとして形成されており、更に苗木ポットが相互に嵌合し、上下方向にジョイントできる構造となっている苗木ポット。
【請求項２】
中間層(2)の上端部分が外層(1)の上端より少し上方に突出し、中間層(2)の下端が外層(1)の下端より少し入り込んだ状態で形成され、これにより複数の苗木ポットを上下にジョイントして使用できるように構成されている請求項１に記載の苗木ポット。
【請求項３】
前記外層(1)の外表面に、生分解可能な樹脂によるシール又は噴霧によるコーティングが施されている請求項１又は２に記載の苗木ポット。
【請求項４】
前記外層(1)が、竹、葦、パーム（椰子の皮革）等の非木材繊維をプレス成形して構成されている請求項１〜３の何れかに記載の苗木ポット。
【請求項５】
請求項１〜４の何れかに記載の苗木ポットを、乾燥地や砂丘、砂漠等の砂地(A)の底部の伏流水を有する土壌基盤(B)に到達する長さまで複数連結し、砂地(A)をボーリングして上記の連結した苗木ポットを埋め込み、種若しくは苗木を内層(3)に植え込んで定着させ、根が土壌基盤(B)に達して該土壌基盤(B)に活着するまでの間、所定の間隔をあけて苗木に注水をおこなうことを特徴とする砂地緑化方法。
【発明の詳細な説明】
【０００１】
【発明が属する技術分野】
本発明は、砂丘地や砂漠などの緑化が困難な砂地や乾燥地に対して、植物を育成させて森林緑化を行うための苗木ポット並びに当該苗木ポットを使用した砂地緑化方法に関するものである。
【０００２】
【従来の技術】
従来、保水性の乏しい砂丘地や砂漠等の砂地や乾燥地に植物を導入する場合、一般的には厚い層の客土を施すか、又はスプリンクラー等の給水手段が採用されている。しかし、これらの方法では多大の経費を要すると共に、乾燥地帯の砂漠では給水した水分の蒸発が著しいために塩分障害が発生し、やがては更に厳しい不毛の土地になるといった問題点があった。
【０００３】
【発明が解決しようとする課題】
そこで本発明は、砂丘地や砂漠、乾燥地などの緑化が困難な土質並びに気象条件下にあって、それらの影響を受けずに確実に苗木の根を砂中底部の伏流水層を有する土壌基盤まで到達させて、苗木の活着を促進すると共に、使用した苗木ポットは着実に生分解して環境に残存しない苗木ポットを提供することを主たる目的とするものである。
【０００４】
【課題を解決するための手段】
上記目的を達成するために本発明では次のような技術的手段を講じた。即ち本発明に係る苗木ポットは、生分解可能な非木材繊維で形成された所定の高さを有する円筒状の外層１と、保水性と吸水性を備えた円筒状の中間層２と、肥料を混ぜた土壌からなる内層３とによって苗木ポットが構成され、前記中間層２が、外層１の内部で複数段に分割されたユニットとして形成されており、更に苗木ポットが相互に嵌合し、上下方向にジョイントできる構造とした。中間層２をユニット構造とすることによりその成形が容易となるとともに、中間層の数を必要に応じて増減してその総体長さにあった外層１を成形することにより任意長さの苗木ポットを得ることができる。
【０００５】
前記苗木ポットの中間層２の上端部分が外層１の上端より少し上方に突出させ、中間層２の下端を外層１の下端より少し入り込んだ状態で形成するのがよい。これにより複数の苗木ポットを上下にジョイントして使用することができる。
【０００６】
また、本発明は上記の苗木ポットを、乾燥地や砂丘、砂漠等の砂地の底部の伏流水を有する土壌基盤に到達する長さまで複数連結し、砂地をボーリングして苗木ポットを埋め込み、種若しくは苗木を内層３に植え込んで定着させ、根が土壌基盤に達して該土壌基盤に活着するまでの間、所定の間隔をあけて苗木に注水をおこなうことによって、緑化が困難な土質並びに気象条件下にあって、少ない水量で確実に苗木の活着を促進すると共に、使用した苗木ポットは着実に生分解して環境に残存しない砂地緑化方法を提供する。
【０００７】
【発明の実施の形態】
以下本発明の詳細を実施例図面に基づいて説明する。
図１〜図３は本発明にかかる苗木ポットの代表的な実施例を示すものであって、生分解可能な素材で形成された円筒状の外層１と、保水性と吸水性を備えた円筒状の中間層２と、肥料を混ぜた土壌からなる内層３とによって構成されている。
【０００８】
前記円筒状の外層１は、竹、葦、パーム（椰子の皮革）等の非木材繊維をプレス成形したものであって、好ましくは竹１０％、葦６０％を煮沸後パーム３０％と溶解して抄紙とし、３kg／cm2以上の圧力と２１０℃の温度下で丸筒形に圧縮成形して構成されている。本実施例では、外径１０cm、高さ１００cm、厚み５mmとし、外表面には生分解可能な樹脂によるシール又は噴霧によるコーティングが施されており、砂中における完全生分解は、コーティング部分が約７００日後、内側の非木材繊維部分が約３００日後となるように配慮している。
【０００９】
前記中間層２は、パーム７０％にカキ等の貝類やカニ等の甲殻類の殻、珊瑚等３０％を混練して円筒状に圧縮成形して形成されている。これにより適度な硬度で形態を維持するものでありながら優れた保水性と吸水性を保持し、且つ有機質の殻の持つ土壌病害抑制力並びに肥料効果を有する中間層を得ることができる。本実施例では外径９cm、内径５cm、高さ１０cmとしたものを１ユニットとし、１０個のユニットが前記外層１の内部に挿入されている。このとき最上段のユニットが外層１の上端より少し、例えば４cm上方に突出し、最下段のユニットが外層１より約４cm入り込んだ状態に設定されている。これにより複数の苗木ポットを図３に示すように上下にジョイントして使用できる構造となっている。
【００１０】
前記内層３は、土壌にチッ素、リン酸、カリ等の肥料０．２％以上混入して構成され、前記円筒状内層２内の空洞に詰め込まれている。
【００１１】
前記中間層２の上面並びに下面は前記外層１と同じ材料で形成された円盤形の薄い上蓋４並びに下蓋５によって被覆保護されている。これら両蓋４，５は多数の小穴が設けられており、且つ中間層２の内部空洞に相当する部分に予め破断線を設けておいて容易に切除できるように形成されている。尚、上蓋４は、実施図面に示すように、予め開口させておいてもよい。
【００１２】
上記の苗木ポットは図４に示すように、乾燥地や砂丘、砂漠等の砂地Ａの底部の伏流水を有する土壌基盤Ｂに到達する長さまで複数連結し、砂地Ａをボーリングして埋め込み、種若しくは苗木を内層３に植え込む。苗木定着後、根が図４に示すように土壌基盤Ｂに達するまで約３０日に一度の割合で約１リットルの注水をおこなう。このとき、中間層２は保水性と吸水性に優れているから、少ない水で長時間有効に苗木の根を潤すことができる。また苗木ポット内部は、外層１のコーティングやシール並びに外層自体が分解するまで砂中環境の影響を受けないので中間層の保水性や吸水性を維持できると共に、安定した形で苗木の根を伏流水を有する土壌基盤Ｂまで到達させることができる。苗木の根が土壌基盤Ｂに達すれば根が活着し以降自力で育成する。この育成過程において、中間層２に含有される貝類や甲殻類の有機質の殻は土壌消毒効果を発揮して土壌の病害を抑制するとともに有機肥料として苗木の生長に寄与する。また使用した苗木ポットは、日時経過後着実に生分解して環境に残存しない。
【００１３】
以上本発明の代表的な実施例について説明したが、本発明は必ずしも上記の実施例構造のみに特定されるものではない。例えば外層１の高さやこれに収納される中間層２のユニットの数は任意に変更して実施できる。また苗木ポットの中間層の上下面をカバーする上蓋４並びに下蓋５は省略することも可能である。その他本発明ではその構成要件を備え、且つ効果を有する範囲内で適宜変更して実施できることは勿論である。
【００１４】
【発明の効果】
本発明は上記のごとく構成されたものであるから、砂丘地や砂漠、乾燥地などの緑化が困難な土質並びに気象条件下にあって、それらの影響を受けずに確実に苗木の根を砂中底部の伏流水層を有する土壌基盤まで到達させて苗木の活着を促進することができる。殊に本発明では、苗木ポットが上下にジョイントできる構造となっているから、砂地の地層に合わせて苗木ポットの総全長を自由にコントロールでき、伏流水層の有する土壌基盤迄の砂地深さに制限されることはない。また中間層をユニット構造とすることによりその成形が容易となるとともに、中間層の数を必要に応じて増減してその総体長さにあった外層を成形することにより任意長さの苗木ポットを得ることができる。更に使用した苗木ポットは、所定日時経過後着実に生分解して環境に残存しないといった種々の効果がある。
【図面の簡単な説明】
【図１】本発明に係る苗木ポットの一実施例を示す斜視図で、上蓋と下蓋を取り外した状態を示している。
【図２】上記苗木ポットの断面図で、内層は装填されていない。
【図３】上記苗木ポットを上下に連結した状態を示す一部の断面図。
【図４】上記苗木ポットを使用した緑化方法を示す断面図。
【図５】図４と同じ断面図であって、苗木の根が土壌基盤に到達した状態を示す。
【符号の説明】
１  外層
２  中間層
３  内層
【図１】
0003811801.tif 000002
【図２】
0003811801.tif 000003
【図３】
0003811801.tif 000004
【図４】
0003811801.tif 000005
【図５】
0003811801.tif 000006